(57)【要約】ディスプレイ３１０，３２０を駆動する装置２００は、ディスプレイエレメント２０のアレイを含み、それぞれのエレメント２０は、赤（Ｒ）、緑（Ｇ）、青（Ｂ）及び白（Ｗ）の複数のサブピクセルを有する。装置２００は、プロセッサ３００を有し、（ａ）ディスプレイのそれぞれのエレメントの赤、緑及び青色を制御するために入力信号ＲＩ，ＧＩ，ＢＩを受け、（ｂ）それぞれのエレメントの赤、緑、青及び白のサブピクセルについて対応する赤、緑、青及び白の出力駆動信号を発生するために入力信号を処理し、前記出力駆動信号は、１以上のエレメントでの色飽和を選択的に低減することでアドレス指定される１以上のエレメントで生じている潜在的な色飽和を受けるエレメントの輝度を増加するためのゲインファクタＨＳに従って強調され、（ｃ）ディスプレイのそれぞれのエレメントについてそれぞれのサブピクセルに前記出力駆動信号を適用するために作用する。
2008529051.tif 000002
【特許請求の範囲】
【請求項１】
それぞれのエレメントが赤、緑、青及び白の色のサブピクセルを有するディスプレイエレメントのアレイを含むディスプレイを駆動する方法であって、
（ａ）それぞれのディスプレイエレメントの赤、緑及び青色を制御するために入力信号を受信するステップと、
（ｂ）入力信号を処理して、それぞれのエレメントの赤、緑、青及び白のサブピクセルについて対応する赤、緑、青及び白の出力駆動信号を生成するステップと、前記出力駆動信号は、前記１以上のエレメントでの色飽和を選択的に低減することで、アドレスされている１以上のエレメントで生じている潜在的な色飽和を受けるエレメントの輝度を増加するためのゲインファクタに従って強調され、
（ｃ）それぞれのディスプレイのエレメントについてそれぞれのサブピクセルに前記出力駆動信号を印加するステップと、
を含む方法。
【請求項２】
前記ステップ（ｂ）は、
（ｄ）それぞれのエレメントについて、最大の光透過率を計算するステップと、
（ｅ）前記ステップ（ｄ）で計算された最大の光透過率に従ってそれぞれのエレメントについて入力信号をスケーリングするステップと、
（ｆ）前記ステップ（ｅ）からのスケーリングされた入力信号の最小値を計算するステップと、
（ｇ）それぞれのエレメントについて、前記ステップ（ｆ）からの最小値に関して前記ステップ（ｅ）からのスケーリングされた入力信号について中間信号を計算するステップと、
（ｈ）それぞれのエレメントについて、前記ステップ（ｇ）からの計算された中間信号の最大値を計算するステップと、
（ｉ）それぞれのエレメントについて、前記ステップ（ｈ）からの最大値に関して、前記ステップ（ｇ）からの余剰を計算するステップと、
（ｊ）前記ステップ（ｇ）からの中間信号に関して前記ステップ（ｉ）からの計算された余剰間の差を計算し、それぞれのエレメントの赤、緑及び青のサブピクセルについて出力駆動信号を生成するステップと、
（ｋ）前記ステップ（ｉ）からのスケーリングされた計算された余剰と前記ステップ（ｆ）からの最小値とから輝度値を計算するステップと、
（ｌ）前記ステップ（ｋ）からの輝度値を適用して、白のサブピクセルの光出力を制御するために白の出力駆動信号を生成し、前記ステップ（ｊ）からの出力駆動信号を適用して、それぞれのエレメントについて、赤、緑及び青のサブピクセルからの光出力を制御するステップと、
を含む請求項１記載の方法。
【請求項３】
前記ステップ（ｂ）におけるゲインファクタは、脱色が生じると、エレメント数に応答して適応的にされる、
請求項１記載の方法。
【請求項４】
前記ステップ（ｂ）におけるゲインファクタは、ディスプレイで表示されるときに、画像のフレーム毎に適応的に変更される、
請求項３記載の方法。
【請求項５】
前記ゲインファクタは、プログレッシブにインクリメントされるか、デクリメントされるやり方で適応的に変更される、
請求項４記載の方法。
【請求項６】
前記ゲインファクタは、ヒステリシスによりプログレッシブにインクリメントされるか、デクリメントされる、
請求項４記載の方法。
【請求項７】
前記ステップ（ｂ）での処理のためにガンマγ領域からリニア領域に入力信号を変換し、それぞれのエレメントについてサブピクセルを駆動するためにリニア領域からガンマγ領域に前記出力駆動信号を変換するステップを更に含む、
請求項１記載の方法。
【請求項８】
前記ステップ（ｂ）における前記処理は、
（ｍ）Ｑを使用される量子化ステップ数として、Ｒｉ＝（ＲＩ／Ｑ）γ；Ｇｉ＝（ＧＩ／Ｑ）γ；Ｂｉ＝（ＢＩ／Ｑ）γに従って、ガンマγ領域の赤、緑及び青色のそれぞれの入力信号ＲＩ，ＧＩ，ＢＩをリニア領域における対応するパラメータＲｉ，Ｇｉ，Ｂｉにそれぞれ変換するステップと、
（ｎ）ｍａｘをそのアーグメントのなかの最大値を選択する演算子としてＭａｘ＝ｍａｘ（Ｒｉ，Ｇｉ，Ｂｉ）を求め、ｍｉｎをそのアーグメントのなかの最小値を選択する演算子としてＭｉｎ＝ｍｉｎ（Ｒｉ，Ｇｉ，Ｂｉ）を求め、次いで、ＨＳを前記ステップ（ｂ）におけるゲインファクタとし、ＧＮを値１＋Ａに制限され、ＧＮ＜１＋Ａを満たす値とし、Ａを赤、緑及び青のサブピクセルの合計に関する白のサブピクセルの相対的な光透過率であるとしてＧＮ＝ＨＳ*Ｍａｘ／（Ｍａｘ−Ｍｉｎ）を求め、前記ステップ（ｂ）におけるゲインパラメータにより乗算して、Ｒｇ＝ＧＮ*Ｒｉ；Ｇｇ＝ＧＮ*Ｇｉ；Ｂｇ＝ＧＮ*Ｂｉにより信号Ｒｇ，Ｇｇ及びＢｇを生成するステップと、
（ｏ）ｍｉｎをそのアーグメントのなかの最小値を選択する演算子としてコモン信号ＣＭ＝ｍｉｎ（Ｒｇ，Ｇｇ，Ｂｇ，Ａ）を計算し、このコモン信号から、Ｒｓ＝Ｒｇ−ＣＭ；Ｇｓ＝Ｇｇ−ＣＭ；Ｂｓ＝Ｂｇ−ＣＭにより赤、緑及び青色のそれぞれについて信号Ｒｓ，Ｇｓ，Ｂｓを計算するステップと、
（ｐ）Ｍａｘｓ＝ｍａｘ（Ｒｓ，Ｇｓ，Ｂｓ）を求め、Ｓｕｒｐｌｕｓをゼロ以下であると計算された場合にゼロに設定されるとしてＳｕｒｐｌｕｓ＝Ｍａｘｓ−１を求め、次いで、Ｒｓｕｒｐｌｕｓ＝Ｒｓ*（Ｓｕｒｐｌｕｓ／Ｍａｘｓ）；Ｇｓｕｒｐｌｕｓ＝Ｇｓ*（Ｓｕｒｐｌｕｓ／Ｍａｘｓ）；Ｂｓｕｒｐｌｕｓ＝Ｂｓ*（Ｓｕｒｐｌｕｓ／Ｍａｘｓ）を求めることで最大の余剰の値を計算し、Ｒｐ＝Ｒｓ−Ｒｓｕｒｐｌｕｓ；Ｇｐ＝Ｒｓ−Ｇｓｕｒｐｌｕｓ；Ｂｐ＝Ｒｓ−Ｂｓｕｒｐｌｕｓを求めることで、前記ステップ（ｍ）からの余剰の信号の減算を実行して、赤、緑及び青色のそれぞれについて信号Ｒｐ，Ｇｐ，Ｂｐを生成するステップと、
（ｑ）ＫＲ、ＫＧ及びＫＢを赤、緑及び青色のそれぞれの乗算係数として、Ｙｓｕｒｐｌｕｓ＝ＫＲ*Ｒｓｕｒｐｌｕｓ＋ＫＧ*Ｇｓｕｒｐｌｕｓ＋ＫＢ*Ｂｓｕｒｐｌｕｓに従って、Ｙｓｕｒｐｌｕｓ信号を計算するステップと、
（ｒ）Ｗｐ＝（ＣＭ＋Ｙｓｕｒｐｌｕｓ）／Ａを求めることで、白のサブピクセルの輝度を制御するため信号Ｗｐを計算するステップと、
（ｓ）ＲＰ＝Ｑ*Ｒｐ１／γ；ＧＰ＝Ｑ*Ｇｐ１／γ；ＢＰ＝Ｑ*Ｂｐ１／γ；ＷＰ＝Ｑ*Ｗｐ１／γに従ってガンマγ領域にある出力駆動信号ＲＰ，ＧＰ，ＢＰ，ＷＰを計算して、赤、緑、青及び白のサブピクセルのそれぞれの光学特性を制御するステップと、
を含む請求項３及び７記載の方法。
【請求項９】
前記乗算係数ＫＲ，ＫＧ，ＫＢは、０．２１２５，０．７１５４及び０．０７２１にそれぞれ実質的に対応する数値的な値を有し、量子化ステップＱの数は、２５５に実質的に等しい、
請求項９記載の方法。
【請求項１０】
当該方法は、液晶ディスプレイ、デジタルマイクロミラーデバイスのうちの少なくとも１つを駆動するために入力信号を処理するために適合される、
請求項１記載の方法。
【請求項１１】
それぞれのエレメントが赤、緑、青及び白色のサブピクセルを有するディスプレイエレメントのアレイを含むディスプレイを駆動する装置であって、
当該装置は、
（ａ）それぞれのディスプレイのエレメントの赤、緑及び青色を制御する入力信号を受信し、
（ｂ）入力信号を処理して、それぞれのエレメントの赤、緑、青及び白のサブピクセルについて対応する赤、緑、青及び白の出力駆動信号を生成し、前記出力駆動信号は、前記１以上のエレメントでの色飽和を選択的に低減することでアドレス指定されている１以上のエレメントで生じる潜在的な色飽和を受けるエレメントの輝度を増加するためのゲインファクタに従って強調され、
（ｃ）それぞれのディスプレイのエレメントについてそれぞれのサブピクセルに前記出力駆動信号を適用する、
ために作用するプロセッサを有する装置。
【請求項１２】
液晶ディスプレイ又はデジタルマイクロミラーディスプレイとして実現される、
請求項１１記載の装置。
【請求項１３】
請求項１記載の方法を実現するため、請求項１１記載の装置のプロセッサで実行可能なソフトウェア。
【発明の詳細な説明】
【技術分野】
【０００１】
本発明は、エレメントのアレイを有するディスプレイを駆動する方法に関する。  
また、本発明は、かかる方法に従って動作するエレメントのアレイを有するディスプレイに関する。
【０００２】
本発明は、液晶ディスプレイに適用可能なだけでなく、たとえば米国特許第5,592,188号（テキサスインスツルメント）で記載されるようなアクチュエートミラーディスプレイといった他のタイプのディスプレイで利用される。
【背景技術】
【０００３】
一般的な用途におけるカラーＬＣＤは、ディスプレイエレメントの２次元アレイを有しており、それぞれのエレメントは、関連されるカラーフィルタを有する赤（Ｒ）、緑（Ｇ）及び青（Ｂ）サブピクセルを含む。それぞれのかかるエレメントは、潜在的に全ての色を表示するために作用するが、それぞれのエレメントのカラーフィルタは、それを通過する光の３分の２のオーダで吸収する。エレメントの光透過性を増加させるため、図１に示されるようなやり方で、ホワイト（Ｗ）のサブピクセルをそれぞれのエレメントに追加することは当該技術分野で知られているプラクティスであり、３つのサブピクセルエレメントは１０により示されており、ホワイト（Ｗ）のサブピクセルを含む４つのサブピクセルエレメントは、２０により示されている。
【０００４】
エレメント２０では、赤（Ｒ）、緑（Ｇ）及び青（Ｂ）のサブピクセルは、エレメント１０に含まれる対応するカラーサブピクセルのそれの７５％であるエリアをそれぞれ有する。しかし、エレメント２０のホワイト（Ｗ）のサブピクセルは、カラーフィルタを含まず、動作において、エレメント２０の赤（Ｒ）、緑（Ｇ）及び青（Ｂ）サブピクセルを通した光透過の総和に対応する光の合計に対応する光の量を透過することができる。したがって、エレメント２０は、エレメント１０よりも実質的に１．５倍の多くの光を透過可能である。かかるエンハンスされた透過は、増加されたディスプレイの明るさが望まれるラップトップコンピュータにおいて、投射型テレビジョン（後方及び前方視野、ＬＣＤ及びＤＬＰ）において、増加されたディスプレイの明るさが望まれるラップトップコンピュータにおいて、電力を保持し、これによりバッテリチャージセッション当たりの動作時間を長引かせるため、高いエネルギー効率のバックライトディスプレイが望まれるラップトップコンピュータにおいて、及びＬＣＤ／ＤＬＰグラフィックスプロジェクタ（ビーマ）において、テレビジョンを実現するために利用されるＬＣＤにおける利益からなる。しかし、エレメント２０を生成するためにホワイト（Ｗ）のサブピクセルをエレメント１０に導入することは、それぞれのエレメント２０のＲ，Ｇ，Ｂ，Ｗサブピクセルに対する最適な駆動に関する技術的な問題を導入し、ディスプレイでのカラー画像の最適なレンダリングを提供する。
【０００５】
液晶ディスプレイ（ＬＣＤ）は、エレメントのアレイをそれぞれ有しており、それぞれのエレメントは、赤（Ｒ）、緑（Ｇ）、青（Ｂ）及び白（Ｗ）サブピクセルを有しており、公開された米国特許出願US2004/0046725に記載されている。さらに、記載されるディスプレイは、それらサブピクセルにゲート信号を送信するゲートライン、及びそれらサブピクセルにデータ信号を送信するデータラインを含む。記載されるディスプレイは、ゲート信号をゲートラインに供給するゲートドライバ、データ電圧をデータラインに供給するデータドライバ、画像信号モディファイアを更に含む。画像信号モディファイアは、３色の画像信号を４色の画像信号に変換するデータコンバータ、データコンバータから４色の画像信号を最適化するデータオプティマイザ、及び、クロックと同期して、最適化された画像信号をデータドライバに供給するデータ出力ユニットを含む。
【０００６】
それぞれのエレメントの４色、赤（Ｒ）、緑（Ｇ）、青（Ｂ）、及び白（Ｗ）のサブピクセルを駆動するレジームが知られている。公知の“Min-Simple”レジームでは、かかるレジームは、最もシンプルな駆動方法を現しており、赤、緑、青色のディスプレイ入力信号Ｒｉ，Ｇｉ，Ｂｉは、赤（Ｒ）、緑（Ｇ）、青（Ｂ）サブピクセルのそれぞれについて対応する出力信号にマッピングされ、これら出力信号は、Ｒｏ，Ｇｏ，Ｂｏのそれぞれで示される。“Min-Simple”レジームでは、入力信号Ｒｉ，Ｇｉ，Ｂｉの最小値は、それぞれのエレメントについて計算され、ホワイト（Ｗ）のサブピクセルについて駆動信号Ｗｏが生成される。この“Min-Simple”レジームでは、第一のセットの式（１）は以下に示される。
【数１】
2008529051.tif 000003
ｍｉｎ（ｘ，ｙ，ｚ）はアーギュメントｘ，ｙ及びｚの最小値を識別する関数である。第一のセットの式（１）が利用されるとき、入力信号Ｒｉ，Ｇｉ，Ｂｉ＝２４０，１６０，１２０のそれぞれは、Ｒｏ，Ｇｏ，Ｂｏ，Ｗｏ＝２４０、１６０、１２０，１２０のそれぞれであるように出力信号が得られる。エレメント２０の全ての４つのサブピクセルから出力される全体のＲＧＢの光カラーは、Ｒｔ，Ｇｔ，Ｂｔ＝３６０，２８０，２４０となる。Ｒｔ，Ｇｔ，Ｂｔで達成される光カラーと入力信号Ｒｉ，Ｇｉ，Ｂｉとの比較は、提供される画像においてホワイト、グレイ及び完全に飽和された色について減少された色飽和によるが、エンハンスされた明るさを示す。かかるカラーレンディションの歪みは、本発明により対処される技術的な問題を表現している。
【０００７】
“Min-1”により示される別の公知のレジームでは、出力信号Ｒｏ，Ｇｏ，Ｂｏは、Ｒ，Ｇ，Ｂ間の比率を一定に保持するために変更される。出力信号Ｒｏ，Ｇｏ，Ｂｏの最大値は、かかるアプローチにより変化しないが、最大ではないコンポーネントの値が変更される。“Min-1”レジームでは、１セットの式（２）は以下に従う。
【数２】
2008529051.tif 000004
【０００８】
たとえば、入力信号Ｒｉ，Ｇｉ，Ｂｉ＝２４０，１６０，１２０のそれぞれは、出力信号Ｒｏ，Ｇｏ，Ｂｏ，Ｗｏ＝２４０，１２０，６０，１２０となり、全体の色出力Ｒｔ，Ｇｔ，Ｂｔ＝３６０，２４０，１８０のそれぞれとなる。この“Min-1”レジームは、色の間の比率を正しく維持しつつエンハンスされた明るさを提供し、これにより飽和が変化しない。したがって、“Min-1”レジームは、上述した“Min-Simple”レジームに対する比較において更に満足のいく結果を提供するために作用する。
【０００９】
“Min-1”レジームでは、ホワイト（Ｗ）のサブピクセルの出力Ｗｏの値は、入力信号Ｒｉ，Ｇｉ，Ｂｉの最小値からシンプルに導出される。公知の“Min-2”及び“Min-3”レジームは、ホワイト（Ｗ）のサブピクセルの出力Ｗｏが式（３）及び式（４）のそれぞれから計算される点を除いて、“Min-1”レジームに類似している。
【数３】
2008529051.tif 000005
【００１０】
“Min-2”レジームは、対応するＬＣＤで表示されるカラー画像においてハイライト表示を強調するために作用し、“Min-3”レジームは、ＬＣＤで表示される画像における中間調を強調するために作用する。
【００１１】
代替的に、上述された“Min-1”レジームから導出される“MaxW”レジームでは、ホワイト（Ｗ）サブピクセルを駆動するための出力Ｗｏの値は、式（５）で定義される条件から導出される。
【数４】
2008529051.tif 000006
【００１２】
たとえば、ＭａｘＷレジームを使用したとき、値Ｒｉ，Ｇｉ，Ｂｉ＝２４０，１６０，１２０をそれぞれ有する入力信号は、出力Ｒｏ，Ｇｏ，Ｂｏ，Ｗｏ＝２４０，８０，０，２４０のそれぞれとなり、結果的に全体の観察される割合Ｒｔ，Ｇｔ，Ｂｔ＝４８０，３２０，２４０が得られ、言い換えれば、明るさが強調され、色飽和が維持される。
【００１３】
公開された論文“TFT−LCD  with  RGBW  Color  System”,  Baek−woon  Lee  et  al.,  Samsung  Electronics  Corp.,  Society  for  Information  Display  2003  −  Digest  of  Technical  papers,  pp.1212−1215では、上述のMaxWレジームの代替となるレジームが記載されており、開示される代替のレジームにおいて、ホワイト（Ｗ）サブピクセルの出力は定義されておらず、全体の色出力Ｒｔ，Ｇｔ，Ｂｔは、式（６）に従って入力信号Ｒｉ，Ｇｉ，Ｂｉから直接的に決定される。
【数５】
2008529051.tif 000007
【００１４】
エレメント２０により与えられる全体の色について、出力Ｒｏ，Ｇｏ，Ｂｏ及びＷｏ間の特定の駆動の区分が明示的に収容されないが、Ｒｔ，Ｇｔ，Ｂｔの色の値は、上述されたＭａｘＷアルゴリズムから達成可能な値と同一である。式（６）における式は、エレメント２０においてＲ，Ｇ，Ｂ，Ｗサブピクセルの等しい領域を想定している。パラメータｗがエレメント２０におけるホワイト（Ｗ）サブピクセルのエリアの赤（Ｒ），緑（Ｇ）、青（Ｂ）のサブピクセルのエリアに対する割合である場合、パラメータｗを考慮する式（６）は、以下のように式（７）になる。
【数６】
2008529051.tif 000008
【００１５】
Ｓａｍｓｕｎｇにより利用されるレジームでは、たとえば、２５５，０，０に等しいＲｉ，Ｇｉ，Ｂｉにより入力信号で表現される表示される画像の赤（Ｒ）の領域について、レジームはディスプレイエンハンスメントを提供することができないことを理解されるであろう。しかし、たとえば１２８，０，０のそれぞれにより表現されるＲｉ，Ｇｉ，Ｂｉといった入力信号により表現される、低い強度の赤の領域は、かかるケースにおいて強調されないが、潜在的に強調を受ける。
【発明の開示】
【発明が解決しようとする課題】
【００１６】
本発明者は、エレメント２０にホワイト（Ｗ）のサブピクセルを包含することは対応するディスプレイの明るさを増加可能であるが、強調された明るさと最良の色のレンダリングの間で最適な妥協を得るためにエレメント２０の４つのサブピクセルを駆動するための様々な公知のレジームは、画像全体のカラーレンダリングという技術的な問題を受けることを理解している。したがって、本発明者は、これら技術的な問題に少なくとも部分的に対処するため、エレメント２０のサブピクセルを駆動する代替的なアプローチを考案する。
【００１７】
本発明の目的は、エレメントの明るさとエレメントのカラーレンディションの間の改善された妥協を得るため、ディスプレイエレメントを駆動する代替的な方法を提供することにある。
【課題を解決するための手段】
【００１８】
本発明の第一の態様によれば、ディスプレイエレメントのアレイを含むディスプレイを駆動する方法が提供され、それぞれのエレメントは、赤、緑、青及び白の色のサブピクセルを有する。当該方法は、以下のステップを含む。（ａ）それぞれのディスプレイエレメントの赤、緑及び青色を制御するために入力信号を受信するステップ。（ｂ）入力信号を処理して、それぞれのエレメントの赤、緑、青及び白のサブピクセルについて対応する赤、緑、青及び白の出力駆動信号を生成するステップ。前記出力駆動信号は、前記１以上のエレメントでの色飽和を選択的に低減することで、アドレス指定されている１以上のエレメントで生じている色飽和を受けるエレメントの輝度を増加するためのゲインファクタに従って強調される。（ｃ）それぞれのディスプレイのエレメントについてそれぞれのサブピクセルに前記出力駆動信号を印加するステップ。
【００１９】
本発明は、許容可能なカラーレンディションを提供しつつ、エレメントの明るさが増加されるという利点をもつ。  
任意に、本方法では、ステップ（ｂ）での処理は以下のステップを含む。（ｄ）それぞれのエレメントについて、最大の光透過率を計算するステップ。（ｅ）ステップ（ｄ）で計算された最大の光透過率に従ってそれぞれのエレメントについて入力信号をスケーリングするステップ。（ｆ）ステップ（ｅ）からのスケーリングされた入力信号の最小値を計算するステップ。（ｇ）それぞれのエレメントについてステップ（ｆ）からの最小値に関してステップ（ｅ）からのスケーリングされた入力信号について中間信号を計算するステップ。（ｈ）それぞれのエレメントについて、ステップ（ｇ）からの計算された中間信号の最大値を計算するステップ。（ｉ）それぞれのエレメントについて、ステップ（ｈ）からの最大値に関して、ステップ（ｇ）からの余剰を計算するステップ。（ｊ）ステップ（ｇ）からの中間信号に関してステップ（ｉ）からの計算された余剰間の差を計算し、それぞれのエレメントの赤、緑及び青のサブピクセルについて出力駆動信号を生成するステップ。（ｋ）ステップ（ｉ）からのスケーリングされた計算された余剰とステップ（ｆ）からの最小値とから輝度値を計算するステップ。（ｌ）ステップ（ｋ）からの輝度値を適用して、白のサブピクセルの光出力を制御するために白の出力駆動信号を生成し、ステップ（ｊ）からの出力駆動信号を適用して、それぞれのエレメントについて赤、緑及び青のサブピクセルからの光出力を制御する。
【００２０】
それぞれのエレメントの赤、緑、青及び白のサブピクセルについて対応する赤、緑、青及び白の出力駆動信号を生成するための入力信号を処理する係る方法は、増加されるサブピクセルの輝度を許容しつつ、色情報の適切なスケーリングを提供する点で利益がある。
【００２１】
任意に、本方法では、ステップ（ｂ）におけるゲインファクタは、脱色（color  desaturation）が生じると、エレメント数に応答して適応的にされる。かかる適応的なレスポンスを実現することで、ディスプレイが、表示されるべき画像における高い明るさのコンテンツと同時に高い色の飽和に対処するのを可能にする。更に任意に、本方法では、ステップ（ｂ）におけるゲインファクタは、ディスプレイで表示されるときに、画像のフレーム毎に適応的に変更される。
【００２２】
任意に、本方法でゲインファクタの適応的な制御を実現するとき、ゲインファクタは、プログレッシブにインクリメント又はデクリメントされるやり方で適応的に変更される。かかるインクリメント／デクリメントのアプローチは、さもなければ視聴者が気付く場合がある表示される画像の系列において、明らかな色の飽和における突然の変化を回避する。
【００２３】
更に任意に、本方法では、ゲインファクタは、ヒステリシスによりプログレッシブにインクリメント又はデクリメントされる。かかるヒステリシスは、色の飽和における知覚できる変化の危険（たとえばフリッカ）を更に回避し、輝度とカラーレンディションとの間にエンハンスされた妥協が提供される。
【００２４】
任意に、本方法は、ステップ（ｂ）での処理のためにガンマγ領域からリニア領域に入力信号を変換し、それぞれのエレメントについてサブピクセルを駆動するためにリニア領域からガンマγ領域に出力駆動信号を変換する更なるステップを含む。かかる更なるステップは、本方法が、駆動信号とサブピクセルの対応する光特性との間の非線形変換を提供するディスプレイに対処するのを可能にする。
【００２５】
任意に、本方法を実現するとき、ステップ（ｂ）における前記処理は、以下を含む計算に準じて実質的に実行される。  
（ｍ）ガンマγ領域からのそれぞれ赤、緑及び青色について、リニア領域における対応するパラメータＲｉ，Ｇｉ，Ｂｉに、入力信号ＲＩ，ＧＩ，ＢＩを、Ｒｉ＝（ＲＩ／Ｑ）γ；Ｇｉ＝（ＧＩ／Ｑ）γ；Ｂｉ＝（ＢＩ／Ｑ）γに従って変換するステップ。ここでＱは、利用される量子化ステップ数である。
【００２６】
（ｎ）ステップ（ｂ）におけるゲインパラメータにより乗算して信号Ｒｇ，Ｇｇ及びＢｇを生成するステップ。Ｍａｘ＝ｍａｘ（Ｒｉ，Ｇｉ，Ｂｉ）、ここでｍａｘはそのアーグメントのなかでの最大値にリターンする。Ｍｉｎ＝ｍｉｎ（Ｒｉ，Ｇｉ，Ｂｉ）、ここでｍｉｎはそのアーグメントのなかで最小値にリターンする。ＧＮ＝ＨＳ*Ｍａｘ／（Ｍａｘ−Ｍｉｎ）、ここでＨＳはステップ（ｂ）におけるゲインファクタであり、ＧＮは値１＋Ａに制限され、ＧＮ＜１＋Ａであり、パラメータＡは、赤、緑及び青のサブピクセルの合計に関して白のサブピクセルの相対的な光透過率である。Ｒｇ＝ＧＮ*Ｒｉ；Ｇｇ＝ＧＮ*Ｇｉ；Ｂｇ＝ＧＮ*Ｂｉ。
【００２７】
（ｏ）コモン信号ＣＭを計算し、このコモン信号から赤、緑及び青色のそれぞれについて信号Ｒｓ，Ｇｓ，Ｂｓを計算するステップ。ＣＭ＝ｍｉｎ（Ｒｇ，Ｇｇ，Ｂｇ，Ａ）、ここでｍｉｎはそのアーグメントの最小値をリターンする。Ｒｓ＝Ｒｇ−ＣＭ；Ｇｓ＝Ｇｇ−ＣＭ；Ｂｓ＝Ｂｇ−ＣＭ。
【００２８】
（ｐ）最大の余剰の値を計算し、ステップ（ｍ）からの余剰の信号の減算を実行し、赤、緑及び青色のそれぞれについて信号Ｒｐ，Ｇｐ，Ｂｐを生成するステップ。
Ｍａｘｓ＝ｍａｘ（Ｒｓ，Ｇｓ，Ｂｓ）
Ｓｕｒｐｌｕｓ＝Ｍａｘｓ−１、ここでＳｕｒｐｌｕｓは、ゼロ以下であると計算された場合にゼロに設定される。
Ｒｓｕｒｐｌｕｓ＝Ｒｓ*（Ｓｕｒｐｌｕｓ／Ｍａｘｓ）；
Ｇｓｕｒｐｌｕｓ＝Ｇｓ*（Ｓｕｒｐｌｕｓ／Ｍａｘｓ）；
Ｂｓｕｒｐｌｕｓ＝Ｂｓ*（Ｓｕｒｐｌｕｓ／Ｍａｘｓ）；
Ｒｐ＝Ｒｓ−Ｒｓｕｒｐｌｕｓ；
Ｇｐ＝Ｒｓ−Ｇｓｕｒｐｌｕｓ；
Ｂｐ＝Ｒｓ−Ｂｓｕｒｐｌｕｓ。
【００２９】
（ｑ）Ｙｓｕｒｐｌｕｓ＝ＫＲ*Ｒｓｕｒｐｌｕｓ＋ＫＧ*Ｇｓｕｒｐｌｕｓ＋ＫＢ*Ｂｓｕｒｐｌｕｓに従って、Ｙｓｕｒｐｌｕｓ信号を計算するステップ。ＫＲ、ＫＧ及びＫＢは、赤、緑及び青色のそれぞれの乗算係数である。
【００３０】
（ｒ）白のサブピクセルの輝度を制御するため信号Ｗｐを計算するステップ。
Ｗｐ＝（ＣＭ＋Ｙｓｕｒｐｌｕｓ）／Ａ  
（ｓ）出力駆動信号ＲＰ，ＧＰ，ＢＰ，ＷＰを計算し、赤、緑、青及び白のサブピクセルのそれぞれの光学特性を制御するステップ。前記出力駆動信号は、以下に従ってガンマγ領域にある。
ＲＰ＝Ｑ*Ｒｐ１／γ；
ＧＰ＝Ｑ*Ｇｐ１／γ；
ＢＰ＝Ｑ*Ｂｐ１／γ；
ＷＰ＝Ｑ*Ｗｐ１／γ。
【００３１】
パラメータＲｓｕｒｐｌｕｓ，Ｇｓｕｒｐｌｕｓ，Ｂｓｕｒｐｌｕｓは、赤（Ｒ）、緑（Ｇ）及び青（Ｂ）サブピクセルが応答することができないパラメータＲｓ，Ｇｓ，Ｂｓの余剰を示す余剰信号である。さらに、ガンマ補正された出力駆動信号ＲＰ，ＧＰ，ＢＰ及びＷＰ標準的なガンマ前補正により提供される。便宜的に、ステップ（ｓ）は、標準的なガンマ前補正された信号から特定のＬＣＤガンマファクタへのガンママッピングにより結合することができる。
【００３２】
更に任意に、本方法では、乗算係数ＫＲ，ＫＧ，ＫＢは、０．２１２５，０．７１５４及び０．０７２１のそれぞれに実質的に対応する数値的な値を有し、量子化ステップＱの数は、２５５に実質的に等しい。  
任意に、本方法は、液晶ディスプレイ（ＬＣＤ）及びデジタルマイクロミラーデバイス（ＤＭＤ）のうちの少なくとも１つを駆動するために入力信号を処理するために適合される。
【００３３】
本発明の第二の態様によれば、ディスプレイエレメントのアレイを含むディスプレイを駆動する装置が提供され、それぞれのエレメントは、赤、緑、青及び白色のサブピクセルを有し、当該装置は、（ａ）ディスプレイのそれぞれのエレメントの赤、緑及び青色を制御する入力信号を受信し、（ｂ）入力信号を処理して、それぞれのエレメントの赤、緑、青及び白のサブピクセルについて対応する赤、緑、青及び白の出力駆動信号を生成し、前記出力駆動信号は、前記１以上のエレメントでの色飽和を選択的に低減することでアドレスされている１以上のエレメントで生じる潜在的な色飽和を受けるエレメントの輝度を増加するためのゲインファクタに従って強調され、（ｃ）ディスプレイのそれぞれのエレメントについてそれぞれのサブピクセルに前記出力駆動信号を適用するために作用するプロセッサを有する。
【００３４】
任意に、本装置では、ディスプレイは、液晶ディスプレイ（ＬＣＤ）又はデジタルマイクロミラーディスプレイ（ＤＭＤ）として実現される。  
本発明の第三の態様によれば、本方法を実現する装置のプロセッサで実行可能なソフトウェアが提供され、当該装置及び方法は、本発明の第一及び第二の態様のそれぞれに従う。  
本発明の特徴は、本発明の範囲から逸脱することなしに組み合わせで結合されることを理解されたい。本発明の実施の形態は、添付図面を参照して例示を通して記載される。
【発明を実施するための最良の形態】
【００３５】
図１におけるエレメント２０を駆動する上述した公知のレジームでは、たとえば式（１）〜式（７）により記載されるように、ディスプレイを駆動するとき、入力信号Ｒｉ，Ｇｉ，Ｂｉがディスプレイのガンマ特性を受けることを本発明者は理解している。このガンマ特性は、ディスプレイに適用される駆動信号とディスプレイで達成される対応する光学的な作用との間の関係に関する。さらに、ガンマ特性は、非線形関数である。本発明者は、ガンマを考慮するためにエレメント２０を駆動するために使用される入力信号Ｒｉ，Ｇｉ，Ｂｉを前補償することは利益があることを理解している。しかし、エレメント２０のＲ，Ｇ，Ｂ及びＷサブピクセルを通した光の透過を判定するとき、エレメント２０通した光透過に対して線形な関係を有するパラメータで機能し、すなわち「線形の光領域」で機能することが便利である。ガンマ領域から線形の光領域への変換又は線形の光領域からガンマ領域への変換は、数千のエレメントをそれぞれ含むディスプレイを駆動するとき、複雑な変換回路が必要であることは知られている。しかし、上述されたガンマ特性を考慮しつつ、上述されたレジームを適用することは、特に上述されたMin-1，Min-2，Min-3レジームについて、実質的に許容可能な提供される画質が得られる。しかし、上述されたMaxWレジームは、エレメント２９のアレイを有するディスプレイを使用して提供される画像に対して許容不可能な色相を生成する。ガンマ特性のために生じるかかる問題を理解して、本発明者は、本発明の様々な実施の形態を記載するやり方で更に明らかにされるように、本発明を考案している。
【００３６】
上述した公知の技術的な問題に対して少なくとも部分的なソリューションを考案することにおいて、本方法は、「ハイゲイン」アルゴリズムとして知られるアルゴリズムを利用する。ハイゲインアルゴリズムは、全体的なゲインを増加する試みをし、これにより、白と飽和された色についてゲインにおける差を減少しつつ、明るさにおける強調を提供するものである。
【００３７】
式（７）に記載されるSamsungにより適合されるレジーム、すなわち上述されたMaxWレジームのバリエーションでは、利用されるゲインは、式（８）で提供されるゲインである。
【数７】
2008529051.tif 000009
エレメント２０の白（Ｗ）のサブピクセルを通した光透過を説明するためにパラメータＴWを定義し、エレメント２０の赤（Ｒ）、緑（Ｇ）及び青（Ｂ）のサブピクセルを通した記載される結合された光透過に対してパラメータＴRBGを定義するためにパラメータＴWを定義することは便利である。更なるパラメータＡは、レジオＴW／ＴRBGを説明し、エレメント２０のサブピクセルのエリアのレシオに必ずしも対応せず、パラメータＡは、式（９）により定義される。
【数８】
2008529051.tif 000010
典型的に、パラメータＡは、１のオーダで値を有する。最大のゲインＧＮｍａｘ、すなわちエレメント２０のＲＧＢ部分に関して全体のエレメント２０を通して達成可能な光透過率は、式（１０）により定義される。
【数９】
2008529051.tif 000011
さらに、エレメント２０のアレイを含むディスプレイを駆動するとき、非常に飽和された色に対処するために更なるゲインパラメータＨＳが更に利用され、上述されたディスプレイにおけるエレメント２０について必要とされるゲインファクタを調整するために使用され、ディスプレイにおける所与のエレメントのために使用される全体のゲインファクタＧＮeffectiveは式（１１）により定義される。
【数１０】
2008529051.tif 000012
Ｍｉｎ及びＭａｘは上述した式（２）を参照して予め定義されている。
【００３８】
ＨＳを１〜１＋Ａのレンジに制限することは実用的である。したがって、実際にパラメータＨＳの典型的な値は１．５である。さらに、パラメータＨＳの使用は、全体のピクチャにわたりゲインにおいて減少された変動となる。式（１０）及び（１１）により記載される方法のアプリケーションは、すなわち、たとえば全体の色出力Ｒｔ，Ｇｔ，Ｂｔ＝２５５，０，０のそれぞれを有する赤領域といった、高い輝度と高い飽和を有する画像のカラー領域で利用されるゲインを調整するためにパラメータを使用して、エレメント２０のアレイを含むディスプレイを使用して色空間の外にマッピングされる。かかる明るく飽和された色は、ビデオ番組コンテンツでまれに生じ、脱色に向けて本方法により処理されるが正しい輝度値を有する。
【００３９】
本発明の方法は、図２を参照して更に明らかにされ、本方法のステップは、３０により一般に示される。本方法は、表１に定義されるようにステップ１００〜１４０を含む。
【表１】
2008529051.tif 000013
【００４０】
本方法３０は、意図される光及び色の強度を線形に表す信号、すなわち線形の光信号で使用されることが意図される。
【００４１】
ステップ１では、エレメント２０を駆動する入力信号ＲＩ，ＧＩ，ＢＩは、０〜２５５のスケールで供給され、対応する正規化されたレンジ０−１にスケーリングされる。スケーリングの後、スケーリングされた入力信号は、ガンマ領域からリニア領域に変換するために式（１２）により記載されるようにガンマ補正を受け、ＲＩ，ＧＩ，ＢＩは、対応するリニア領域の信号Ｒｉ，Ｇｉ，Ｂｉのそれぞれに対するガンマ領域の等価な信号を示す。
【数１１】
2008529051.tif 000014
【００４２】
ステップ２では、ゲインパラメータが計算され、入力信号Ｒｉ，Ｇｉ，Ｂｉは、式（１３）により記載されるようにゲインパラメータにより乗算される。
【数１２】
2008529051.tif 000015
ここでｍａｘ（ｘ，ｙ，ｚ）はｘ，ｙ，ｚのなかで最大値に対応する値をリターンし、ｍｉｎ（ｘ，ｙ，ｚ）はｘ，ｙ，ｚのなかで最小値に対応する値をリターンし、ゲインパラメータＨＳの判定は、後に説明される。
【００４３】
ステップ３では、共通の信号ＣＭが導出され、この信号は、ステップ２で計算されたパラメータＲｇ，Ｇｇ，Ｂｇの最小値に対応する。その後、中間の信号は、式（１４）で提供されるように計算される。
【数１３】
2008529051.tif 000016
ここで信号Ｒｓ，Ｇｓ及び／又はＢｓの値は、数値的に１を超える可能性がある。
【００４４】
ステップ４では、余剰の最大値が結合され、次いで、式（１５）で記載されるように減算される。
【数１４】
2008529051.tif 000017
ここで、パラメータＲｐ，Ｇｐ，Ｂｐはステップ５で使用され、エレメント２０の赤（Ｒ）、緑（Ｇ）、青（Ｂ）のサブピクセルのそれぞれが導出される。
【００４５】
ステップ５では、エレメント２０の白（Ｗ）のサブピクセルのルミナンス値が計算される。任意に、白（Ｗ）のサブピクセルの輝度値は、望まれる場合に他の式が代替的に利用されるが、式（１６）により記載されるようにＲＥＣ７０９の式を使用して計算される。
【数１５】
2008529051.tif 000018
白（Ｗ）のサブピクセルの輝度値を制御するパラメータＷｐは、式（１７）から計算される。
【数１６】
2008529051.tif 000019
エレメント２０の赤（Ｒ），緑（Ｇ），青（Ｂ），白（Ｗ）のサブピクセルを駆動するためにガンマ領域に変換される信号ＲＰ，ＧＰ，ＢＰ，ＷＰは、次いで、式（１５）及び式（１７）の結果から式（１８）を適用することで計算できる。
【数１７】
2008529051.tif 000020
さらに、出力駆動信号ＲＰ，ＧＰ，ＢＰ，ＷＰに応答してエレメント２０により供給される全体の出力は、式（１９）から決定される。
【数１８】
2008529051.tif 000021
ステップ１〜５は、ディスプレイに存在するそれぞれのフレームにおけるそれぞれのエレメント２０について実行される。
【００４６】
概要において、ステップ１〜５を実行することにおいて、１以上の赤（Ｒ），緑（Ｇ），青（Ｂ）のサブピクセルにおける輝度の低減は、白（Ｗ）のサブピクセルの輝度における増加により少なくとも部分的に補償され、低減される色飽和を受け、Ｓｕｒｐｌｕｓ＞０である。ステップ１〜５は、パラメータＷｐについて最大値を得るために構成され、できるだけ明るいエレメント２０のアレイを組み込んだディスプレイが得られる。さらに、任意に、Ｒｐ，Ｇｐ，ＢｐのＷｐに対する寄与を変えることができ、変化しない状態にあるＲｔ，Ｇｔ，Ｂｔを受ける。
【００４７】
動作において、ステップ１〜５に関して記載された方法は、高輝度かつ高飽和カラーのある程度の脱色が得られる。生じているある程度の脱色は、式（１１６）で計算されるように上述されたパラメータＹｓｕｒｐｌｕｓにより決定される。有益なことに、上述された式（１３）におけるゲインパラメータＨＳは、たとえば、オーバフローが生じた存在する所与の画像における多数のエレメントに応答するといった、パラメータＹｓｕｒｐｌｕｓで生じるオーバフローに応答して適応可能である。Ｙｓが予め決定された閾値を超えるときにオーバフローが生じる。画像フレーム当たりエレメントにおけるパラメータＹｓｕｒｐｌｕｓにおけるオーバフローの発生が増加するとき、パラメータＨＳは上述されたように１〜Ａのレンジに制限されるが、パラメータＨＳについて使用される値は、有利なことに低減される。任意に、この低減は、画像フレーム当たりオーバフローを受けるエレメント数が予め決定された閾値を超えるときに生じる。任意に、所与のＨＳの値は、ディスプレイで表示される所与の画像フレームにおける全てのエレメントに関係し、代替的に、望まれる場合、パラメータＨＳは、ローカルに生じるＹｓｕｒｐｌｕｓにおけるオーバフローに応答して所与の画像でローカルに変更される。より詳細には、パラメータＨＳの値の適応的な変更は、色飽和における頻繁な変化が一連の表示される画像で生じないように、オーバフローを受ける画像当たりのエレメント数に応答してヒステリシスにより実現される。
【００４８】
図２に示された、記載された本方法を実現する装置は、図３を参照して記載される。図３では、参照符号２００で一般的に示されており、装置は、ユーザに画像を表示するイメージディスプレイ３２０を形成する係るエレメントのアレイにおけるそれぞれのエレメント２０について赤（Ｒ），緑（Ｇ），青（Ｂ）を受信するためのプロセッサ３００を含む。任意に、シングルプロセッサは、全てのサブピクセルの信号を順次に処理するために使用される。図２を参照して記載される方法により生成される、プロセッサ３００からの処理された出力信号は、ディスプレイ３２０の個々のエレメント２０を駆動するためにドライバハードウェア３１０を介して通過される。ディスプレイ３２０のそれぞれのエレメント２０は、図１に例示されるように、赤（Ｒ），緑（Ｇ），青（Ｂ）及び白（Ｗ）のサブピクセルで構成される。ディスプレイ３２０のエレメント２０は、図示されるように、ｘ及びｙ軸のそれぞれに沿って配置されるｍ列及びｎ行で配置される。図２に例示される方法は、ディスプレイ３２０のそれぞれ個々のエレメント２０のＲＩ，ＧＩ，ＢＩ信号に適用される。任意に、プロセッサ３００は、特定用途向け集積回路（ＡＳＩＣ）といった、コンピュータハードウェア及び／又はカスタムロジックハードウェアを使用して実現される。
【００４９】
プロセッサ３００で実行される機能は、図４に示されており、参照符号５００により一般的に示されており、図４で番号付けされた機能は、表２を参照して解釈される。
【表２】
2008529051.tif 000022
【００５０】
図４に例示される機能５００は、上述されたステップ１〜５で提供される式（１２）〜（１８）間の関係のグラフィカルな説明を提供するものであり、これらの機能５００は、本発明の実施の形態を構成する。任意に、機能５００は、式（１３）で使用されるゲインＨＳの適応的な制御で補充され、機能５００は、図５で示されるように、参照符号８００により一般的に示される更なる機能と共に実行され、図５の解釈は、表３に提供される。パラメータＬ１，Ｌ２は、機能５００，８００が内部結合されるやり方を示すために含まれる。
【表３】
2008529051.tif 000023
機能５００，８００は、図４及び図５に示されるようにシーケンスで実現され、機能５００に関してそれぞれのサブピクセルについて繰り返し実現され、機能８００について画像フレーム毎に、すなわち、ゲインＨＳは、画像フレーム毎にインクリメントされるか、デクリメントされる。
【００５１】
要するに、エレメント２０を提供するためにエレメント１０の赤（Ｒ）、緑（Ｇ）及び青（Ｂ）のサブピクセルに白（Ｗ）のサブピクセルを追加することで輝度が改善される。エレメント２０を駆動する従来の方法では、白（Ｗ）のサブピクセルの光学特性を制御する白（Ｗ）信号は、色相及び飽和が維持されるようなやり方でＲＧＢ信号の共通部分に基づいている。係る飽和された色が共通部分を持たない係る従来技術の方法における飽和された色のレンダリングは、白（Ｗ）のサブピクセルを包含することから利益を得ない。本発明の方法は、制限されたやり方で飽和された色を脱色することで飽和された色に輝度を加えつつ、ＲＧＢ信号の共通部分に基づいて輝度を加える。本発明の方法を利用した結果として、飽和された色の強調された輝度、及びしたがってエンハンスされた飽和されていない色に対する改善されたレシオは、生じている脱色により導入されるアーチファクトに勝り、これにより、より最適なディスプレイのプレゼンテーションを視聴者に提供することができる。
【００５２】
上述された本発明の実施の形態は、特許請求の範囲により定義されるように本発明の範囲から逸脱することなしに変更されることを理解されたい。
【００５３】
本発明は、液晶ディスプレイ（ＬＣＤ）に限定されないが、画像を投影するために利用されるマイクロミラーアレイを駆動することにも適用可能であり、かかるアレイは、デジタルマイクロミラーデバイス（ＤＭＤ）と呼ばれる。かかるアレイは、テキサスインスツルメント社に特許された公開された米国特許第5,592,188号で記載されており、引用により盛り込まれる。上述された飽和の選択的な制御によりハイゲインの方法は、ホワイトセグメントを含むカラーホイールを通してフィルタリングされる赤、緑、青及び白色光で照明されるＤＭＤ、又は、たとえば高輝度の発光ダイオード（ＬＥＤ）といった時間的に交互に電圧が印加されるカラーの光源から生成されるＤＭＤの作動時間を制御することに適用可能である。所与の光の色で照明されるとき、個々のマイクロミラーが作動される期間は、これらのミラーから生成された画像の様々な空間部分の色及び輝度を調整するために使用される。このように、マイクロミラーが作動される期間は、上述された本発明の方法により制御され、特許請求の範囲に示される。
【００５４】
また、本発明は、エレメントのアレイから製造されたディスプレイにも適用可能であり、それぞれのエレメントは、個々にアドレス指定可能であり、赤、青、緑及び白色の発光ダイオードを有する。別の関連する例では、本発明は、そこから放射線を放出するとき、比較的高い量子化効率を示すことが可能なＶＣＳＥＬ（Vertical-Cavity  Surface-Emitting  Laser）と呼ばれるレーザのような、任意に個々にアドレス可能なＶＣＳＥＬで実現されるエレメントのアレイから製造されるディスプレイに適用可能である。ＶＣＳＥＬは、米国特許第２００２／０１５００９２に記載され、引用により本明細書に盛り込まれる。さらに、本発明は、有機ＬＥＤ（ＯＬＥＤ）ディスプレイと共に実現可能である。
【００５５】
なお、上述された実施の形態は、本発明を限定するものではなく例示するものであり、当業者であれば、特許請求の範囲から逸脱することなしに多くの代替的な実施の形態を設計することができるであろう。動詞「有する“comprise”」及びその派生の使用は、請求項で述べたエレメント又はステップ以外のエレメント又はステップの存在を排除するものではない。本発明は、幾つかの個別のエレメントを有するハードウェアにより、適切にプログラムされたコンピュータにより実現される。幾つかの手段を列挙した装置の請求項では、これらの手段の幾つかは、同一アイテムのハードウェアにより実施される場合がある。所定の手段が相互に異なる従属の請求項で引用されるという事実は、これらの手段の組み合わせを利用することができないことを示すものではない。
【図面の簡単な説明】
【００５６】
【図１】赤（Ｒ）、緑（Ｇ）、青（Ｂ）及び白（Ｗ）のそれぞれを含むエレメントの別の実現とは対称的に、赤（Ｒ）、緑（Ｇ）及び青（Ｂ）のサブピクセルのみを含むエレメントの１実現である、ピクセルディスプレイのエレメントの概念図である。
【図２】赤（Ｒ）、緑（Ｇ）、青（Ｂ）及び白（Ｗ）のサブピクセルを含むエレメントについて、適切な駆動信号を生成するため、ディスプレイのそれぞれのエレメントについて赤（Ｒ）、緑（Ｇ）、青（Ｂ）入力信号を処理する方法のステップを示すフローチャートである。
【図３】イメージディスプレイのエレメントを駆動する図２に示される方法を利用するために構成される装置の概念図である。
【図４】図３に示される装置で実行される処理ステップの概念図である。
【図５】エレメントでの色飽和の発生回数に応答して、適応的な利得を提供する装置の任意の更なる部分の概念図である。
【図１】
2008529051.tif 000024
【図２】
2008529051.tif 000025
【図３】
2008529051.tif 000026
【図４】
2008529051.tif 000027
【図５】
2008529051.tif 000028
【国際調査報告】
2008529051.tif 000029
2008529051.tif 000030
2008529051.tif 000031